(57)【要約】【課題】紙の種類に依存せずに裏面転写時に発生する白プチ等の画像不良を防止することが可能となる画像形成装置を提供する。【解決手段】用紙の表裏に画像を形成する両面画像形成時に表面と裏面との画像データの対応関係に基づいて、用紙の表面であって、かつ、用紙の対応する裏面にトナー像を転写する領域に転写補助剤を転写させるように制御する。【選択図】図５
2010048922.tif 000002
【特許請求の範囲】
【請求項１】
画像データに基づいて静電潜像が形成される像担持体と、
前記静電潜像をトナー又は転写補助剤で現像する複数の現像装置と、
現像されたトナー像及び転写補助剤を用紙に転写する転写部と、
トナー像及び転写補助剤が転写された用紙を加熱する定着部と、
前記定着部で加熱された用紙を搬送し、表裏反転させてから再度前記転写部に搬送させる両面搬送手段と、
制御手段と、
を有する画像形成装置であって、
前記制御手段は、用紙の表裏に画像を形成する両面画像形成時に表面と裏面との画像データの対応関係に基づいて、用紙の表面であって、用紙の裏面にトナー像を転写する領域に対応する真裏の領域に、転写補助剤を転写させるように制御することを特徴とする画像形成装置。
【請求項２】
前記制御手段は、
用紙の表面におけるトナー像を転写しない領域に前記転写補助剤を転写させることを特徴とする請求項１に記載の画像形成装置。
【請求項３】
前記制御手段は、
用紙の表面におけるトナー像の転写量が少ない領域に前記転写補助剤を転写させることを特徴とする請求項１又は２に記載の画像形成装置。
【請求項４】
画像データに基づいて静電潜像が形成される像担持体と、
前記静電潜像をトナー又は転写補助剤で現像する複数の現像装置と、
現像されたトナー像及び転写補助剤を用紙に転写する転写部と、
トナー像及び転写補助剤が転写された用紙を加熱する定着部と、
前記定着部で加熱された用紙を搬送し、表裏反転させてから再度前記転写部に搬送させる両面搬送手段と、
制御手段と、
を有する画像形成装置であって、
前記制御手段は、用紙の表裏に画像を形成する両面画像形成時に、用紙の表面の全領域に転写補助剤を転写させるように制御することを特徴とする画像形成装置。
【請求項５】
前記転写補助剤は、透明微粒子又は透明トナーであることを特徴とする請求項１乃至４のいずれかに記載の画像形成装置。
【請求項６】
前記転写補助剤は、磁性キャリアコアに樹脂を被覆したキャリアであることを特徴とする請求項１乃至４のいずれかに記載の画像形成装置。
【請求項７】
用紙の表面に転写された前記転写補助剤は、前記定着部での加熱によっては用紙に定着されず、
前記定着部を通過した用紙の表面に残存する転写補助剤を回収する回収手段を有し、
前記回収手段で回収された転写補助剤は、該転写補助剤を現像する現像装置で再利用可能なことを特徴とする請求項６に記載の画像形成装置。
【発明の詳細な説明】
【技術分野】
【０００１】
本発明は、用紙の両面に画像形成可能な画像形成装置に関する。
【背景技術】
【０００２】
用紙の両面に画像形成する両面画像形成時においては、裏面転写時に「白プチ現象」といわれる不具合が発生する場合がある。以下図に基づいて説明する。
【０００３】
図１３は、従来例における白プチ現象を説明する図である。裏面転写時には、表面の画像形成工程においてトナー像を定着するために定着装置により加熱される。このため加熱された用紙はでは含水率が低下して電気抵抗値の高くなった用紙に対して転写工程を行うことになる。中間転写体６に形成されたトナーｐｔを、転写ローラ９に転写電圧を印加することにより中間転写体６との間に形成した転写電界により転写させる際に、用紙Ｐの繊維の粗い部分において異常放電ｅｄによる絶縁破壊が発生する。その影響で一部のトナーｐｔｂが用紙Ｐに転写できなくなるために、その部分は白く抜けることになる。
【０００４】
転写電圧を低電圧に抑えることにより絶縁破壊の発生が抑えられるが、その反面、低電圧にすると必要な電界が形成されず転写電荷不足により転写ムラが発生することになる。
【０００５】
裏面における用紙の抵抗値の上昇を戻すためには用紙に加湿することが有効である。特許文献１に開示された画像形成装置では、両面搬送経路に水分を含んだ加湿ローラを設け、当該加湿ローラにより表面の定着を行った後の用紙に対して加湿を行い抵抗値の上昇による不具合の発生を防いでいる。
【特許文献１】特開２００２−２８７６０３号公報
【発明の開示】
【発明が解決しようとする課題】
【０００６】
しかし、特許文献１に記載の画像形成装置では、加湿ローラを別途設ける必要がありコストアップが問題になるということと、紙の種類毎に最適な加湿量が異なるために制御が困難であるという問題が生じていた。
【０００７】
本願発明は上記問題に鑑み、紙の種類に依存せずに裏面転写時に発生する白プチ等の画像不良を防止することが可能となる画像形成装置を提供することを目的とする。
【課題を解決するための手段】
【０００８】
１．画像データに基づいて静電潜像が形成される像担持体と、
前記静電潜像をトナー又は転写補助剤で現像する複数の現像装置と、
現像されたトナー像及び転写補助剤を用紙に転写する転写部と、
トナー像及び転写補助剤が転写された用紙を加熱する定着部と、
前記定着部で加熱された用紙を搬送し、表裏反転させてから再度前記転写部に搬送させる両面搬送手段と、
制御手段と、
を有する画像形成装置であって、
前記制御手段は、用紙の表裏に画像を形成する両面画像形成時に表面と裏面との画像データの対応関係に基づいて、用紙の表面であって、用紙の裏面にトナー像を転写する領域に対応する真裏の領域に、転写補助剤を転写させるように制御することを特徴とする画像形成装置。
【０００９】
２．前記制御手段は、
用紙の表面におけるトナー像を転写しない領域に前記転写補助剤を転写させることを特徴とする前記１に記載の画像形成装置。
【００１０】
３．前記制御手段は、
用紙の表面におけるトナー像の転写量が少ない領域に前記転写補助剤を転写させることを特徴とする前記１又は２に記載の画像形成装置。
【００１１】
４．画像データに基づいて静電潜像が形成される像担持体と、
前記静電潜像をトナー又は転写補助剤で現像する複数の現像装置と、
現像されたトナー像及び転写補助剤を用紙に転写する転写部と、
トナー像及び転写補助剤が転写された用紙を加熱する定着部と、
前記定着部で加熱された用紙を搬送し、表裏反転させてから再度前記転写部に搬送させる両面搬送手段と、
制御手段と、
を有する画像形成装置であって、
前記制御手段は、用紙の表裏に画像を形成する両面画像形成時に、用紙の表面の全領域に転写補助剤を転写させるように制御することを特徴とする画像形成装置。
【００１２】
５．前記転写補助剤は、透明微粒子又は透明トナーであることを特徴とする前記１乃至４のいずれかに記載の画像形成装置。
【００１３】
６．前記転写補助剤は、磁性キャリアコアに樹脂を被覆したキャリアであることを特徴とする前記１乃至４のいずれかに記載の画像形成装置。
【００１４】
７．用紙の表面に転写された前記転写補助剤は、前記定着部での加熱によっては用紙に定着されず、
前記定着部を通過した用紙の表面に残存する転写補助剤を回収する回収手段を有し、
前記回収手段で回収された転写補助剤は、該転写補助剤を現像する現像装置で再利用可能なことを特徴とする前記６に記載の画像形成装置。
【発明の効果】
【００１５】
本願発明によれば、紙の種類に依存せずに裏面転写時に発生する白プチ等の画像不良を防止することが可能となる画像形成装置を提供することを目的とする。
【発明を実施するための最良の形態】
【００１６】
本発明を実施の形態に基づいて説明するが、本発明は該実施の形態に限られない。
【００１７】
［画像形成装置］
図１は、本実施形態に係る画像形成装置１００の要部を示す図である。
【００１８】
画像形成装置１００は、タンデム型カラー画像形成装置と称せられるもので、複数組の画像形成手段１０Ｓ、１０Ｙ、１０Ｍ、１０Ｃ、１０Ｋと、ベルト状の中間転写ベルト６と給紙装置２０及び定着装置３０等から構成されている。
【００１９】
画像形成装置１００の上部には、画像読取部１１０が設置されている。原稿台上に載置された原稿は画像読取部１１０の原稿画像走査露光装置の光学系により画像が走査露光され、ラインイメージセンサに読み込まれる。ラインイメージセンサにより光電変換されたアナログ信号は、制御手段において、アナログ処理、Ａ／Ｄ変換、シェーディング補正、画像圧縮処理等を行った後、露光部３Ｓ、３Ｙ、３Ｍ、３Ｃ、３Ｋに入力される。
【００２０】
なお本願明細書においては構成要素を総称する場合にはアルファベットの添え字を省略した参照符号で示し、個別の構成要素を指す場合にはＳ（透明）、Ｙ（イエロー）、Ｍ（マゼンタ）、Ｃ（シアン）、Ｋ（ブラック）の添え字を付した参照符号で示す。
【００２１】
転写補助剤としての透明トナー（Ｓ）の画像を形成する画像形成手段１０Ｓ、イエロー（Ｙ）色の画像を形成する画像形成手段１０Ｙ、マゼンタ（Ｍ）色の画像を形成する画像形成手段１０Ｍ、シアン（Ｃ）色の画像を形成する画像形成手段１０Ｃ、及びブラック（Ｋ）色の画像を形成する画像形成手段１０Ｋは、それぞれ像担持体としてのドラム状の感光体１の周囲に配置された帯電極２、露光部３Ｙ、現像装置４及びクリーニング部５を有する（Ｙ、Ｍ、Ｃ、Ｋについては参照符号を省略）。
【００２２】
感光体１は、例えば、有機光導電体を含有させた樹脂よりなる感光層がドラム状の金属基体の外周面に形成されてなる有機感光体よりなり、搬送される用紙Ｐの幅方向（図１において、紙面に対して垂直な方向）に伸びる状態で配設されている。感光層を構成する樹脂としては、例えばポリカーボネート等を例示することができる。なお図１に示した実施形態においては、ドラム状感光体１を用いた構成例について説明したがこれに限られず、ベルト状感光体を用いてもよい。
【００２３】
現像装置４は、それぞれ透明トナー（Ｓ）、イエロー（Ｙ）、マゼンタ（Ｍ）、シアン（Ｃ）及び黒（Ｋ）の異なる色の小粒径のトナーとキャリアからなる２成分現像剤を内包する。２成分現像剤として、フェライトをコアとしてその周りに絶縁性樹脂をコーティングしたキャリアと、ポリエステルを主材料として顔料あるいはカーボンブラック等の着色剤、荷電制御剤、シリカ、酸化チタン等を加えたトナーとからなる。キャリアは粒径１０〜５０μｍ、飽和磁化１０〜８０ｅｍｕ／ｇ、トナーは粒径４〜１０μｍである。トナーの帯電特性は負帯電特性であり平均電荷量としては−２０〜−６０μＣ／ｇである。２成分現像剤としてはこれらのキャリアとトナーとを、トナー濃度４〜１０質量％になるよう混合したものを用いている。
【００２４】
透明トナーについて説明する。アクリル樹脂に荷電制御剤、低分子量ポリプロピレンを加えて熔融、混練し、その後に粉砕分級し所定の粒径の透明微粒子を作成、これに疎水シリカ微粒子を添加混合して透明トナーとして用いる。
【００２５】
透明微粒子の他の例としては、ポリメタアクリル酸メチルアクリレート樹脂微粒子、アクリルスチレン系樹脂微粒子、ポリメチルメタクリレート樹脂微粒子、シリコン系樹脂微粒子、ポリスチレン系樹脂微粒子、ポリカーボネート樹脂微粒子、ベンゾグアナミン系樹脂微粒子、メラミン系樹脂微粒子、ポリオレフィン系樹脂微粒子、ポリエステル系樹脂微粒子、ポリアミド系樹脂微粒子、ポリイミド系樹脂微粒子、を挙げることができる。
【００２６】
中間転写体である中間転写ベルト６は複数のローラにより回転可能に支持されている。中間転写ベルト６は体積抵抗が１０６〜１０１２Ω・ｃｍの無端ベルトであり、例えばポリカーボネート（ＰＣ）、ポリイミド（ＰＩ）、ポリアミドイミド（ＰＡＩ）、ポリビニリデンフルオライド（ＰＶＤＦ）、テトラフルオロエチレン−エチレン共重合体（ＥＴＦＥ）等の樹脂材料で構成され、厚みは、５０〜２００μｍ程度である。
【００２７】
中間転写ベルト６は体積抵抗が１０６〜１０１２Ω・ｃｍオーダーの無端ベルトであり、例えば、ポリカーボネート（ＰＣ）、ポリイミド（ＰＩ）、ポリフェニレンスルフィド（ＰＰＳ）ポリアミドイミド（ＰＡＩ）、ポリビニリデンフルオライド（ＰＶＤＦ）、エトラフルオロエチレン−エチレン共重合体（ＥＴＦＥ）等の樹脂材料やフッ素系樹脂、ＥＰＤＭ、ＮＢＲ、ＣＲ、ポリウレタン等のゴム材料にカーボン等の導電性フィラーを分散させたり、イオン性の導電材料を含有させたりしたものが用いられ、その厚みは、樹脂材料の場合５０〜２００μｍ程度、ゴム材料の場合は３００〜７００μｍ程度に設定されている。
【００２８】
画像形成手段１０Ｓ、１０Ｙ、１０Ｍ、１０Ｃ、１０Ｋより感光体１上に形成された各色のトナー画像は、回転する中間転写ベルト６上に一次転写ローラ７により順次転写されて（一次転写）、合成されたカラー画像が形成される。一方、画像転写後の感光体１Ｙ、１Ｍ、１Ｃ、１Ｋは各色のクリーニング部５によりにより残留トナーが除去される。
【００２９】
給紙装置２０の用紙収納部（トレイ）２１内に収容された用紙Ｐは、第１給紙部２２により給紙され、給紙ローラ２３、２４、２５Ａ、２５Ｂ、レジストローラ（第２給紙部）２６等を経て、二次転写ローラ９に搬送され、用紙Ｐ上にカラー画像が転写される（二次転写）。
【００３０】
なお、画像形成装置１００の下部に鉛直方向に縦列配置された３段の用紙収納部２１は、ほぼ同一の構成をなすから、同符号を付した。また、３段の給紙部２２も、ほぼ同一の構成をなすから、同符号を付してある。用紙収納部２１、給紙部２２を含めて給紙装置２０と称す。
【００３１】
カラー画像が転写された用紙Ｐは、「定着部」として機能する定着装置３０において用紙Ｐが挟持され、熱と圧力とを加えることにより用紙Ｐ上のカラートナー画像（あるいはトナー画像）が定着されて用紙Ｐ上に固定され、搬送ローラ対３７に挟持されて搬送され、排紙搬送路に設けられた排紙ローラ２７から排出され、機外の排紙トレイ９０上に載置される。
【００３２】
一方、二次転写ローラ９により用紙Ｐにカラー画像を転写した後、用紙Ｐを曲率分離した中間転写ベルト６は、クリーニング部６１により残留トナーが除去される。
【００３３】
用紙Ｐの両面に画像形成する「両面モード」の場合には、用紙Ｐの表面（おもてめん：第１面ともいう）に形成した画像を定着処理した後、用紙Ｐを分岐板２９により排紙搬送路から分岐させ、両面搬送路２８に導入して表裏反転してから再び給紙ローラ２５Ｂから搬送される。用紙Ｐは画像形成手段１０Ｙ、１０Ｍ、１０Ｃ、１０Ｋによって裏面（第２面ともいう）に各色の画像が両面に形成され、定着装置３０により加熱定着処理され、排紙ローラ２７によって装置外に排出される。当該両面搬送路２８、分岐板２９、等が「両面搬送手段」として機能する。
【００３４】
なお、以上の説明では、転写補助剤の画像形成部１０Ｓを最も上流側に配置させた例について説明したがこれに限られず、他の画像形成部１０よりも下流側に配置させるようにしてもよい。
【００３５】
［制御ブロック］
図２は、本実施形態に係る画像形成装置１００の制御ブロック図である。ＣＰＵ１０１は画像形成装置１００全体の動作を制御するものであり、システムバス１０９を介して、ＲＯＭ（Ｒｅａｄ  Ｏｎｌｙ  Ｍｅｍｏｒｙ）１０２やＲＡＭ（Ｒａｎｄｏｍ  Ａｃｃｅｓｓ  Ｍｅｍｏｒｙ）１０３等に接続されている。このＣＰＵ１０１は、ＲＯＭ１０２に格納されている各種制御プログラムを読み出してＲＡＭ１０３に展開し、各部の動作を制御する。そして当該、ＣＰＵ１０１が「制御手段」として機能する。
【００３６】
また、ＣＰＵ１０１は、ＲＡＭ１０３に展開したプログラムに従って各種処理を実行し、その処理結果をＲＡＭ１０３に格納するとともに操作表示部１０５に表示させる。そして、ＲＡＭ１０３に格納した処理結果を所定の保存先に保存させる。ＲＯＭ１０２は、プログラムやデータ等を予め記憶しており、この記録媒体は磁気的、光学的記録媒体、若しくは半導体メモリで構成されている。
【００３７】
ＲＡＭ１０３は、ＣＰＵ１０１によって実行される各種制御プログラムによって処理されたデータ等を一時的に記憶するワークエリアを形成する。
【００３８】
ＨＤＤ１０４は、画像読取部１０６で読み取って得た原稿画像の画像データを記憶したり、出力済みの画像データ等を記憶したりする機能を有する。
【００３９】
操作表示部１０５は各種の設定を可能にするものである。操作表示部１０５は例えばタッチパネル形式となっており、ユーザーが操作表示部１０５を通じて入力することによりカラー印刷やモノクロ印刷に関する条件、カセット２０に装填されている用紙Ｐの坪量の設定を行うことができる。また、ネットワーク設定の情報等、各種の情報が操作表示部１０５に表示される。
【００４０】
プリントコントローラ１１０はネットワークＩ／Ｆを備え、ネットワークを通じて接続されている外部のＰＣ等から印刷ジョブを受信する。受信した印刷ジョブは、当該プリントコントローラ１１０により所定のページ記述言語によって画像形成装置１００で画像形成可能なデータ形式の画像データに変換し、印刷ジョブに含まれる制御データとともに、ＨＤＤ１０４に一時的に記憶させたり、画像処理部１０７に送ったりする。
【００４１】
制御データとはジョブヘッダとも称されるものであり、当該制御データには、両面モードあるいは片面モードの情報、部数、一部あたりのページ数、出力（画像形成）に用いる用紙のサイズ及び坪量データ、フルカラーあるいはモノクロのモード情報、等が含まれる。
【００４２】
画像形成部１０は、画像処理部１０７によって画像処理された画像データを受け取り、用紙Ｐ上に画像を形成する。
【００４３】
［白プチ現象に対する表面画像の影響］
図３、図４に基づいて白プチ現象と第１面の表面画像との関係について説明する。図３は、用紙に同一の全面ハーフトーン（中間濃度）の画像データにより画像形成した際における、正常画像ｂ１０と、白プチ画像ｂ１１を示す模式図である。裏面への転写持において用紙Ｐは表面への定着時の定着装置３０による加熱により含水率が低下しておりその影響で用紙Ｐの抵抗値は上昇している。用紙Ｐの抵抗が上昇すると転写持に用紙Ｐの両側に生じる電位差は大きくなる。紙の繊維の疎な部分では微少な異常放電（絶縁破壊）が発生し、その異常放電によりトナーの極性を換えてしまい転写ができなくなる。その結果、図３に示すように白プチ画像ｂ１１が発生する。一方で表面においてはそのような抵抗値の上昇は発生しないので白プチは発生せずに正常画像ｂ１０が出力される。
【００４４】
図４は、裏面で発生する白プチ現象に対する表面の画像の影響を説明する図である。図４（ａ）と図４（ｂ）とは裏面に関しては同一の全面ハーフトーンの画像データ（図３とも同一）に基づいて画像形成を行っているが、表面に関しては図４（ａ）の表面ａ１では白紙であり、図４（ｂ）の表面ａ２ではアルファベットの文字Ｋと、両者は異なっている。
【００４５】
同図に示すように、図４（ａ）の裏面ｂ１では全面に渡って白プチ現象が発生しているが、図４（ｂ）の裏面ｂ２においては一部の表面ａ２の文字Ｋに対応した位置に関しては、白プチ現象は発生しておらず正常に転写されている。
【００４６】
これは、表面にトナー画像が形成されているので、その結果、紙繊維の疎な部分もトナー層があるために裏面の転写時に異常放電が発生しづらくなるからである。本実施形態においてはこのような現象に基づいて白プチ現象の発生を防止する制御を実施している。以下説明する。
【００４７】
［制御フロー］
図５は、本実施形態における画像形成装置１００が行う制御フローの説明図である。当該制御フローは制御手段として機能するＣＰＵ１０１により実行される。
【００４８】
図５のステップＳ１１では、外部のＰＣ等から印刷ジョブを取得する。ステップＳ１２では、ステップＳ１１で取得した印刷ジョブのジョブヘッダを参照することにより、当該印刷ジョブが両面モードであるか否かを判断する。両面モードであれば（ステップＳ１２：Ｙｅｓ）、続くステップＳ１３で転写補助剤の転写領域の算出を行う。
【００４９】
［転写領域の算出］
図６は、本実施形態におけるステップＳ１３のサブルーチンを説明する図である。ステップＳ１３１では、表面の画像データと、裏面の画像データを取得する。
【００５０】
ステップＳ１３２ａでは、ステップＳ１３１で取得した裏面の画像データに基づいて、（１）用紙の裏面にトナー像を転写する領域に対応する真裏の領域を、転写補助剤を転写させる領域に設定する。
【００５１】
図１０、図１１に基づいてその具体例について説明する。図１０は、表面と裏面の画像データの例を示す図である。表面の画像データは低濃度の文字Ｉと、それよりも高濃度の文字Ｋが中央に配置されている。裏面の画像データではハーフトーンの矩形ｒが同図に示すように上方に配置されている。図１１は、図１０に示す表面と裏面との画像データの対応関係に基づいて決定した転写補助剤を転写させる領域を示す図である。
・図１１（ａ）は、図６に示すサブルーチンにより決定した、用紙の表面に転写補助剤を転写させる領域Ｓａを示す例である。同図の領域Ｓａは図１０（ａ）の裏面の画像データの矩形ｒに対応させている。
・図１１（ｂ）は、図７（後述）に示すサブルーチンにより決定した、用紙の表面に転写補助剤を転写させる領域Ｓｂを示す例である。
・図１１（ｃ）は、図８（後述）に示すサブルーチンにより決定した、用紙の表面に転写補助剤を転写させる領域Ｓｃを示す例である。
・図１１（ｄ）は、図９（後述）に示すサブルーチンにより決定した、用紙の表面に転写補助剤を転写させる領域Ｓｄを示す例である。
【００５２】
図５の制御フローの説明に戻る。ステップＳ１４では、用紙ＰのステップＳ１３で算出した転写補助剤の転写領域（例えば図１１（ａ）の領域Ｓａ）と、ステップＳ１１で取得した印刷ジョブに含まれる表面の画像データに基づいて、Ｙ、Ｍ、Ｃ、Ｋトナーと、転写補助剤としての透明トナーＳにより用紙Ｐの表面に画像形成を行う。
【００５３】
ステップＳ１５では、裏面の画像データに基づいてＹ、Ｍ、Ｃ、Ｋトナーにより画像形成を行う。
【００５４】
本実施形態によれば、裏面転写時には、当該裏面画像に対応する表面には転写補助剤が予め転写されているので、異常放電により白プチ現象の発生を防止することが可能となる。また転写補助剤を用いているので、用紙の種類に依存せずに異常放電の発生を防止することが可能となる。
【００５５】
［変形例］
図７乃至図９、及び図１１に基づいてステップＳ１３のサブルーチンの第１乃至第３の変形例について説明する。同図に示すサブルーチン以外は、図１乃至図５に示す実施形態と同一であり説明は省略する。
【００５６】
図７に示す「第１の変形例」においては、ステップＳ１３１ｂで取得した裏面の画像データに基づいて、以下の（１）（２）を満足する表面の領域を、転写補助剤を転写させる領域に設定する。
（１）用紙の裏面にトナー像を転写する領域に対応する真裏の領域
（２）表面画像を形成しない領域
図１０に示す画像データの条件下において、第１の変形例におけるサブルーチンにより決定した、用紙の表面に転写補助剤を転写させる領域Ｓｂを示したものが図１１（ｂ）である。
【００５７】
本実施形態によれば、用紙の種類に依存せずに異常放電の発生を防止することが可能となるとともに、必要な領域のみに転写補助剤を使用するので、転写補助剤の使用量を適正化することができる。
【００５８】
図８に示す「第２の変形例」においては、ステップＳ１３１ｃで取得した裏面の画像データに基づいて、以下の（１）（２）を満足する表面の領域を、転写補助剤を転写させる領域に設定する。
（１）用紙の裏面にトナー像を転写する領域に対応する真裏の領域
（２）表面画像の画像濃度が所定以下の領域
図１０に示す画像データの条件下において、第２の変形例におけるサブルーチンにより決定した、用紙の表面に転写補助剤を転写させる領域Ｓｃを示したものが図１１（ｃ）である。なお同図に示す例においては上記（２）の所定値を、図１０における低濃度部の文字Ｉと、それよりも高濃度部の文字Ｋとの間に設定している。これは表面においてトナー像の転写量が少ない領域においては、異常放電の抑止効果が不足している可能性があるので、当該領域にも転写補助剤を転写させておくことにより、安定して異常放電の発生を防止させることが可能となる。
【００５９】
本実施形態によれば、用紙の種類に依存せずに異常放電の発生を防止することが可能となるとともに、必要な領域のみに転写補助剤を使用するので、転写補助剤の使用量を適正化することができる。
【００６０】
図９に示す「第３の変形例」においては、ステップＳ１３２ｄにおいて表面全領域を、転写補助剤を転写させる領域に設定する。
【００６１】
第３の変形例におけるサブルーチンにより決定した、用紙の表面に転写補助剤を転写させる領域Ｓｄを示したものが図１１（ｄ）である。
【００６２】
本実施形態によれば、表面全領域に対して転写補助剤を転写させるので、より安定して、用紙の種類に依存せずに異常放電の発生を防止することが可能となる。
【００６３】
［他の実施形態］
図１２は、他の実施形態に係る画像形成装置１００の回収装置４０周辺を示す図である。同図に示す画像形成装置１００においては、転写補助剤として、磁性キャリアコアに樹脂を被覆したキャリアを用いている。なお同図に示す構成以外は図１乃至図９に示す実施形態と同様であり説明は省略する。
【００６４】
用紙Ｐの裏面にトナー画像を形成して定着装置３０で加熱して用紙に定着させた後に、用紙Ｐの表面に転写されて付着している転写補助剤を、回収装置４０により回収する。
【００６５】
回収装置４０は、回転ブラシ４１、金属棒４２、スクレーパー４３、搬送スクリュー４４等から構成される。
【００６６】
回転ブラシ４１は導電性のアクリルからなり、搬送される用紙Ｐの下側（用紙Ｐの表面の画像形成面）に圧接する。回転ブラシは不図示の駆動手段によって用紙Ｐの搬送方向と同方向の順方向に回転する。即ち同図において反時計方向に回転する。
【００６７】
金属棒４２は、フェライト磁石等の永久磁石からなり回転ブラシ４１で用紙Ｐから回収した磁性キャリアを付着させる。金属棒４２は不図示の駆動手段により図示時計方向に回転する。表面に付着した磁性キャリアは、金属棒４３の表面に当接しているスクレーパー４３により剥がされて、下方に落下する。下方に落下して磁性キャリアは、螺旋状のスクリュウから形成されている搬送スクリュウにより、図示奥側に搬送されて不図示の回収容器に回収される。回収容器で回収された転写補助剤としての磁性キャリアは、現像装置４Ｓで再利用可能である。
【００６８】
なお、回収容器を設けずに回収スクリュウを現像装置４Ｓまで延長するような構成とし、搬送された磁性キャリアを現像装置４Ｓに自動的に戻すようにしてもよい。
【００６９】
本実施形態によれば、裏面転写時には、当該裏面画像に対応する表面には転写補助剤が予め転写されているので、異常放電により白プチ現象の発生を防止することが可能となる。更に、転写補助剤を回収して再利用可能な構成としているので、転写補助剤の使用量を低減させることが可能となり、ひいてはランニングコストを下げることが可能となる。
【図面の簡単な説明】
【００７０】
【図１】本実施形態に係る画像形成装置１００の要部を示す図である。
【図２】本実施形態に係る画像形成装置１００の制御ブロック図である。
【図３】用紙に同一の画像データにより画像形成した際における、正常画像ｂ１０と、白プチ画像ｂ１１を示す模式図である。
【図４】裏面で発生する白プチ現象に対する表面の画像の影響を説明する図である。
【図５】本実施形態における画像形成装置１００が行う制御フローの説明図である。
【図６】ステップＳ１３のサブルーチンを説明する図である。
【図７】ステップＳ１３のサブルーチンの第１の変形例を説明する図である。
【図８】ステップＳ１３のサブルーチンの第２の変形例を説明する図である。
【図９】ステップＳ１３のサブルーチンの第３の変形例を説明する図である。
【図１０】表面と裏面の画像データの例を示す図である。
【図１１】図１０の画像データの対応関係に基づいて決定した転写補助剤を転写させる領域を示す図である。
【図１２】他の実施形態に係る画像形成装置１００の回収装置４０周辺を示す図である。
【図１３】従来例における白プチ現象を説明する図である。
【符号の説明】
【００７１】
１  感光体
２  帯電極
３  露光部
４  現像装置
６  中間転写ベルト
１０  画像形成部
２０  給紙装置
３０  定着装置
１００  画像形成装置
１１０  画像読取部
Ｓ  透明トナー
４０  回収装置
【図１】
2010048922.tif 000003
【図２】
2010048922.tif 000004
【図３】
2010048922.tif 000005
【図４】
2010048922.tif 000006
【図５】
2010048922.tif 000007
【図６】
2010048922.tif 000008
【図７】
2010048922.tif 000009
【図８】
2010048922.tif 000010
【図９】
2010048922.tif 000011
【図１０】
2010048922.tif 000012
【図１１】
2010048922.tif 000013
【図１２】
2010048922.tif 000014
【図１３】
2010048922.tif 000015